(57)【特許請求の範囲】
【請求項１】
インターネット上のファイルサーバと、モデム装置を有し、撮像した撮像画像を所定のスケジュールに従って前記ファイルサーバに転送する画像配信型のインターネットカメラと、前記ファイルサーバに転送された画像を閲覧可能な端末装置と、を備えたインターネットカメラシステムであって、
前記端末装置は、前記インターネットカメラの画像取り込みをリクエストするための所定のデータを前記ファイルサーバに送信する送信手段を有し、
前記ファイルサーバは、前記端末装置から前記所定のデータを受信すると画像取り込みのリクエスト対象のインターネットカメラが撮影画像を転送中であるか否かを判断し、転送中でない場合に前記画像取り込みのリクエスト対象のインターネットカメラのモデム装置に対して電話をかけ、次いで回線接続が確立される前に電話回線を切断する、発呼手段を有し、
前記インターネットカメラは、前記モデム装置に対する着信を検出すると、着信の呼び出しに応答せずに電話回線の切断を待ち、次いで画像を撮像して前記ファイルサーバに撮像画像を転送する、配信制御手段を有する、ことを特徴とする、インターネットカメラシステム。
【請求項２】
前記端末装置がローカル・エリア・ネットワーク経由でインターネットに接続するネットワークインターフェイスと、前記ファイルサーバに転送された画像を表示するモニタと、前記端末装置を操作する入力手段とを備え、
前記入力手段の操作によって、前記端末装置の送信手段がインターネット経由で前記ファイルサーバに、前記所定のデータを送信し、
前記ファイルサーバは、前記画像取り込みのリクエスト対象のインターネットカメラが撮影画像を転送中でない場合に前記発呼手段を操作して、前記画像取り込みのリクエスト対象のインターネットカメラのモデム装置に電話をかけ、次いで回線接続が確立される前に電話回線を切断し、
前記インターネットカメラは、前記モデム装置に対する着信を検出すると、着信の呼び出しに応答せずに電話回線の切断を待ち、次いで画像を撮像して前記ファイルサーバに転送することを特徴とする、請求項１に記載のインターネットカメラシステム。
【請求項３】
前記ファイルサーバは、前記モデム装置に対する着信をトリガとする前記インターネットカメラからの撮像画像の転送が完了した後、画像転送完了を前記端末装置に報知することを特徴とする、請求項１または請求項２に記載のインターネットカメラシステム。
【請求項４】
前記端末装置の入力手段が、前記モニタに表示されたポインタを移動させる、ボタンを有するポインティングデバイスであり、
前記ポインティングデバイスを操作して、前記ポインタを所定の位置に移動させて前記ボタンを押下することによって、前記端末装置がインターネット経由で前記ファイルサーバに、前記所定のデータを送信することを特徴とする、請求項２又は請求項３に記載のインターネットカメラシステム。
【請求項５】
前記インターネットカメラシステムが、前記インターネットカメラを複数台有し、
前記ポインティングデバイスのボタンを押下した時のポインタの位置に応じて、異なるインターネットカメラを画像取り込みのリクエスト対象とする前記所定のデータを、前記端末装置はインターネット経由で前記ファイルサーバに送信することを特徴とする、請求項４に記載のインターネットカメラシステム。
【請求項６】
前記インターネットカメラシステムが、前記インターネットカメラを複数台有し、
前記ポインティングデバイスを操作して、前記ポインタを所定の位置に移動させて前記ボタンを押下することによって、前記端末装置がインターネット経由で前記ファイルサーバに、全てのインターネットカメラを画像取り込みのリクエスト対象とする前記所定のデータを送信することを特徴とする、請求項４または請求項５に記載のインターネットカメラシステム。
【請求項７】
前記モデム装置が、前記モデム装置にかかってきた電話の発信元を特定する情報を検知する機能を有し、
前記モデム装置にかかった電話の発信元が前記発呼手段ではない時は、前記インターネットカメラは撮像装置により撮像した画像を前記ファイルサーバに転送しないことを特徴とする、請求項１から請求項６のいずれかに記載のインターネットカメラシステム。
【請求項８】
前記モデム装置にかかってきた電話の発信元を特定する情報が電話番号であることを特徴とする、請求項７に記載のインターネットカメラシステム。
【請求項９】
前記ファイルサーバと、前記インターネットカメラと、前記端末装置のそれぞれが制御手段とメモリとを有し、
前記ファイルサーバと、前記インターネットカメラと、前記端末装置は、前記メモリに展開されたプログラムを前記制御手段が実行することによって動作することを特徴とする、請求項１から請求項８のいずれかに記載のインターネットカメラシステム。
【発明の詳細な説明】
【０００１】
【発明の属する技術分野】
本発明は、インターネット上のファイルサーバと、公衆電話回線網経由でインターネットに接続し前記ファイルサーバに画像データを転送可能な画像配信型インターネットカメラと、前記ファイルサーバに転送された画像データを閲覧可能な端末装置と、を有するインターネットカメラシステムに関する。
【０００２】
【従来の技術】
従来のインターネットカメラシステムとしては、例えば特許３０３４２４３号に記載されたものがある。同公報記載のインターネットカメラシステムが備えるインターネットカメラは、所定のスケジュールに従って、デジタル画像データをインターネット上の所定のファイルサーバに転送する機能を有している。
【０００３】
従って、前記所定のファイルサーバにアカウントを有するユーザは、インターネットに接続された前記所定のファイルサーバのクライアント機能を有する端末装置を操作して前記所定のファイルサーバに保管された画像データを閲覧することができる。
【０００４】
しかしながら、従来のインターネットカメラシステムにおいては、例えば一時間間隔といった所定のスケジュールに従って前記インターネットカメラから転送される画像データを閲覧することのみ可能であり、前記インターネットカメラが撮像している映像をユーザが任意のタイミングで閲覧するといったことはできなかった。
【０００５】
【発明が解決しようとする課題】
本発明は上記の問題に鑑み、端末装置よりインターネットカメラを操作して、インターネットカメラが撮像している映像を任意のタイミングで閲覧可能な、インターネットカメラシステムを提供することを目的とする。
【０００６】
【課題を解決するための手段】
上記の目的を達成するために、本発明のインターネットカメラシステムは、
端末装置は、ファイルサーバに所定のデータを送信する送信手段を有し、
ファイルサーバは、端末装置から所定のデータを受信するとモデム装置に対して電話をかける発呼手段を有し、
インターネットカメラは、モデム装置に対する着信を検出すると、を撮像して前記ファイルサーバに撮像画像を配信する、配信制御手段を有する。
【０００７】
従って、端末装置を操作することにより、所望のタイミングでインターネットカメラが撮像した画像を端末装置のモニタに表示させることができる。また、端末装置自身は公衆電話回線網に接続するモデム装置を必要としないため、公衆電話回線網経由で端末装置に侵入されるおそれが無いため、セキュリティ上好適である。
【０００８】
また、ファイルサーバが、前記モデム装置に対する着信をトリガとする前記インターネットカメラからの撮像画像の転送が完了した後、画像転送完了を端末装置に報知することにより、インターネットカメラが画像をファイルサーバに転送後、直ちに端末装置はインターネットカメラがファイルサーバに転送した画像をモニタに表示させることができる。
【０００９】
さらに、発呼手段が、ファイルサーバより操作されて前記モデム装置に電話を掛けた後、回線接続が確立される前に電話回線を切断する構成とすることにより、第１のモデム装置は公衆電話回線網の回線使用料なしでインターネットカメラに画像転送をリクエストすることができる。
【００１０】
また、端末装置が入力手段を有し、かつこの入力手段が例えばマウス等のモニタに表示されたポインタを移動させる、ボタンを有するポインティングデバイスであり、
ポインティングデバイスを操作して、ポインタを所定の位置に移動させてボタンを押下することによって、端末装置がインターネット経由でファイルサーバに、インターネットカメラの画像転送をリクエストするデータを送信する構成としてもよい。
【００１１】
さらに、インターネットカメラシステムが、インターネットカメラを複数台有し、
ポインティングデバイスのボタンを押下した時のポインタの位置に応じて、端末装置が異なるインターネットカメラの画像転送をリクエストするデータを、インターネット経由でファイルサーバに送信する構成としてもよい。
【００１２】
このような構成とすることにより、平易な操作により、複数台のインターネットカメラのうち、所望のインターネットカメラが撮像した画像を閲覧することができる。
【００１３】
また、インターネットカメラシステムが、インターネットカメラを複数台有し、
ポインティングデバイスを操作して、ポインタを所定の位置に移動させてボタンを押下することによって、端末装置がインターネット経由で前記ファイルサーバに、全てのインターネットカメラの画像転送をリクエストするデータを送信する構成としてもよい。
【００１４】
このような構成とすることにより、単一の操作により、複数台のインターネットカメラの全てが撮像した画像を閲覧することができる。
【００１５】
さらに、モデム装置が、モデム装置にかかってきた電話の発信元を特定する情報を検知する機能を有し、モデム装置にかかった電話の発信元が発呼手段ではない時は、インターネットカメラは撮像装置により撮像した画像を前記ファイルサーバに転送しない構成としてもよい。このような構成とすることにより、間違い電話等によって、前記端末装置のユーザの意図しない画像取り込みは防止される。
【００１６】
なお、モデム装置にかかってきた電話の発信元を特定する情報としては、例えばＮＴＴのナンバーディスプレイサービス等によって第２のモデム装置に通達される、発信元の電話番号がある。
【００１７】
【発明の実施の形態】
本発明の実施の形態のインターネットカメラシステムを図１に模式的に示す。本発明のインターネットカメラシステムは、複数台（図１中では３台）のインターネットカメラ１、インターネット２００上に配置されたファイルサーバ２０１、ローカル・エリア・ネットワーク（以下ＬＡＮと称す）３００上に配置された少なくとも１台のクライアントＰＣ３０１を有している。
【００１８】
ここで、インターネットカメラ１は撮像した画像データをファイルサーバに転送する装置である。また、インターネットカメラ１はモデム装置１０を具備している。このモデム装置１０が公衆電話回線網１００経由でインターネット上の第１のゲートウェイ１０１と通信することにより、インターネットカメラ１はインターネット２００への接続を確立する。インターネットカメラ１はインターネット２００へ接続することにより、インターネット２００上のファイルサーバ２０１に対してデータの送受信を行うことができる。
【００１９】
また、インターネット２００上のファイルサーバ２０１は、ファイル転送プロトコル（ＦＴＰ）サービス、簡易メール転送プロトコル（ＳＭＴＰ）サービス、ポストオフィスプロトコル（ＰＯＰ）サービス、およびハイパーテキスト転送プロトコル（ＨＴＴＰ）を提供するものである。さらに、ファイルサーバ２０１はモデム装置２１０を具備し、公衆電話回線１００を通じて電話をかける機能を有する。
【００２０】
また、ＬＡＮ３００上のクライアントＰＣ３０１は、イーサネット（Ｒ）カード等のネットワーク・インターフェイス３０３を具備している。このネットワーク・インターフェイス３０３が、インターネット２００とＬＡＮ３００の両方に接続されている第２のゲートウェイ３２０と交信することにより、クライアントＰＣ３０１はインターネット２００への接続を確立し、インターネット２００上のファイルサーバ２０１に対してデータの送受信を行うことができる。
【００２１】
図２はインターネットカメラ１を模式的に示したブロック図である。撮像装置３は対物光学系を介してＣＣＤ等の撮像素子上に結像された像をディジタル信号として出力する装置である。制御手段２はこの撮像装置３とメモリ４を制御して撮像装置３より出力されたディジタル信号を、ＪＰＥＧ等の所定の画像フォーマットの画像ファイルに変換し、メモリ４に保存することができる。
【００２２】
また、メモリ４はまた、画像ファイルと共にスケジュールデータを保持可能であり、制御手段２はこのスケジュールデータに基づく時刻に撮像装置３より出力されたディジタル信号を画像ファイルに変換してメモリ４に保存する。
【００２３】
さらにインターネットカメラ１のメモリ４にはＦＴＰクライアントプログラムが展開されている。インターネットカメラ１の制御手段２は、画像ファイルがメモリ４に保存された後、インターネット２００への接続を確立し、ＦＴＰクライアントプログラムにより前記画像ファイルをインターネット２００上のファイルサーバ２０１に転送する。なお、画像ファイル転送後、インターネット２００への接続は強制的に切断されるので、画像ファイルの転送に伴う通信コストは必要最低限に抑えられる。
【００２４】
なお、インターネットカメラ１のメモリ４には、ＳＭＴＰとＰＯＰを用いて電子メールの送受信を行う電子メールクライアントプログラムが展開されている。ここで、インターネットカメラ１の制御手段２は所定の間隔でインターネット２００への接続を確立して電子メールクライアントプログラムによりファイルサーバ２０１のＳＭＴＰサービスプログラムおよびＰＯＰサービスプログラムの提供するメールボックスを確認し、インターネットカメラシステムの管理者よりスケジュールデータが含まれた電子メールを受信した場合はスケジュールデータを更新する。なお、メールボックス確認後、インターネット２００への接続は強制的に切断される
【００２５】
また、インターネットカメラ１はトリガスイッチボタン５をさらに有している。このトリガスイッチボタン５が押下されると、そのときに撮像装置３より出力されたディジタル信号は制御手段２によって直ちに画像ファイルに変換され、インターネット２００への接続を確立した後、ファイルサーバ２０１に前記画像ファイルが転送される。なお、画像ファイル転送後、インターネット２００への接続は強制的に切断される。
【００２６】
図３はインターネット２００上のファイルサーバ２０１を模式的に示したブロック図である。ファイルサーバ２０１はインターネット２００を介してデータの送受信を行うネットワーク・インターフェイス２０３と、各種ファイルを保存するストレージ装置２０５を有する。ここで、ファイルサーバ２０１の制御手段２０２はネットワーク・インターフェイス２０３を制御してインターネット２００を介してインターネットカメラ１から転送された画像ファイルを受信し、さらにストレージ装置２０５を制御して受信した画像ファイルをストレージ装置２０５の所定のディレクトリに保管する。
【００２７】
この画像データの保管作業は、ファイルサーバ２０１のメモリ２０４に展開されたＦＴＰサービスプログラムによって行われる。
【００２８】
またメモリ２０４に展開されたＨＴＴＰサービスプログラムは、ストレージ装置２０５の所定のディレクトリに保管された画像データを、インターネット２００に接続された任意のまたは特定の端末装置から閲覧可能にする。
【００２９】
さらに、ファイルサーバ２０１はモデム装置２１０を有しており、ファイルサーバ２０１の制御手段２０２はモデム装置２１０を制御して任意の電話番号に電話をかけることができる。
【００３０】
図４はＬＡＮ３００上のクライアントＰＣ３０１を模式的に示したブロック図である。クライアントＰＣ３０１はＬＡＮ３００へ常時接続し、ＬＡＮ３００上の第２のゲートウェイ３２０を経由してインターネット２００に接続可能なネットワーク・インターフェイス３０３を備えている。さらにクライアントＰＣ３０１はメモリ３０４を有している。このメモリ３０４には、ＨＴＴＰを用いてファイルサーバ２０１からデータを送受信するＨＴＴＰクライアントプログラムが展開されている。クライアントＰＣ３０１の制御手段３０２はこのＨＴＴＰクライアントプログラムを実行し、ネットワーク・インターフェイス３０３を制御してファイルサーバ２０１のストレージ装置２０５に保存された任意の画像ファイルをクライアントＰＣ３０１のメモリ３０４に転送可能である。
【００３１】
また、クライアントＰＣ３０１はさらにモニタ３０５を備えている。さらに、クライアントＰＣ３０１のメモリ３０４に展開されたＨＴＴＰクライアントプログラムはメモリに展開された画像ファイルをモニタ３０５上に表示する機能を有している。従って、ＨＴＴＰクライアントプログラムの実行されているクライアントＰＣ３０１は、前記スケジュールデータに従ってインターネットカメラ１からファイルサーバ２０１に転送された画像ファイルを逐次モニタ３０５に表示させることが可能である。すなわち、クライアントＰＣ３０１のユーザは、前記スケジュールデータに従う時刻にインターネットカメラ１が撮像した画像を遠隔地のクライアントＰＣ３０１のモニタ３０５上で閲覧することができる。
【００３２】
さらに、クライアントＰＣ３０１はモニタ３０５上に表示されたポインタを動かすポインティングデバイス３０６を有しており、クライアントＰＣ３０１のユーザはこのポインティングデバイス３０６によってＨＴＴＰクライアントプログラムを操作することができる。さらに、このポインティングデバイス３０６は少なくとも１つのボタンを有しており、このボタンが押下された時の前記ポインタの画面上の位置を、クライアントＰＣ３０１の制御手段３０２に通知することができる。
【００３３】
クライアントＰＣ３０１のモニタ３０５の画面を図５に示す。なお、本実施例ではモニタ３０５で画像を閲覧するインターネットカメラ１の台数を３台としているが、クライアントＰＣ３０１のユーザが同時に監視可能なインターネットカメラ１の台数は何台であっても構わない。画面４００には画像表示領域４０１、４０２、４０３が表示されており、そのそれぞれにはインターネットカメラ１のそれぞれがファイルサーバ２０１に転送している画像ファイルが表示されている。このＨＴＴＰクライアントプログラムは一定の間隔（例えば１分）でファイルサーバ２０１にアクセスしており、画像表示領域４０１、４０２、４０３には対応するインターネットカメラ１がファイルサーバ２０１に転送した最新の画像ファイルおよび、それぞれの画像ファイルの撮像時刻が表示されるようになっている。
【００３４】
また、画像表示領域４０１、４０２、４０３のそれぞれの下部には第１の画像取り込みボタン４１１、４１２、４１３が配置されている。ここで、第１の画像取り込みボタン４１１、４１２、４１３のいずれかにポインタ４０４を重ねてポインティングデバイス３０６のボタンを押下する（以下、「第１の画像取り込みボタンを押下する」と略記）と、押下された第１の画像取り込みボタンに対応するインターネットカメラ１の撮像装置３より出力されたディジタル信号が、直ちに画像ファイルに変換され、その画像ファイルが押下された第１の画像取り込みボタンに対応する画像表示領域に表示されるようになっている。
【００３５】
また、画面４００の下部には第２の画像取り込みボタン４２０が配置されている。この第２の画像取り込みボタン４２０にポインタ４０４を重ねてポインティングデバイス３０６のボタンを押下する（以下、「第２の画像取り込みボタンを押下する」と略記）と、画像表示領域４０１、４０２、４０３に対応するインターネットカメラ１の撮像装置３より出力されたディジタル信号が、直ちに画像ファイルに変換され、その画像ファイルがそれぞれの画像表示領域４０１、４０２、４０３に表示されるようになっている。すなわち第２の画像取り込みボタン４２０を押下すると、第１の画像取り込みボタンの押下を全ての第１の画像取り込みボタンに対して実施するのと同様の効果が得られる。
【００３６】
第１の画像取り込みボタンを押下した時の、クライアントＰＣ３０１、ファイルサーバ２０１、およびインターネットカメラ１の動作手順を、図６〜８に示すフローチャートを用いて説明する。
【００３７】
図６は第１の画像取り込みボタンを押下した時の、クライアントＰＣ３０１で実行される割り込みルーチンを示したフローチャートである。第１の画像取り込みボタンが押下されると、クライアントＰＣ３０１の制御手段３０２はステップＳ３０１に進み、ファイルサーバ２０１に第１の画像取り込みボタンに応じたインターネットカメラ１への画像取り込みをリクエストする。ファイルサーバ２０１の制御手段２０２はこのリクエストを受信すると、図７のフローチャートに示された割り込みルーチンを実行する。なお、クライアントＰＣ３０１の制御手段３０２はステップＳ３０２を実行し、ファイルサーバ２０１からの取り込み完了メッセージを受信するまで（Ｓ３０２：Ｙｅｓ）、待機する（Ｓ３０２：Ｎｏ）。
【００３８】
クライアントＰＣ３０１からリクエストを受信したファイルサーバ２０１の制御手段２０２はステップＳ２０１を実行し、画像取り込みのリクエスト対象のインターネットカメラ１が画像ファイルをファイルサーバ２０１に送信しているかどうかを確認する。ここで画像ファイル転送中でなければ（Ｓ２０１：Ｎｏ）ステップＳ２０２に進む。一方画像ファイル転送中ならば（Ｓ２０１：Ｙｅｓ）インターネットカメラ１がさらに撮像動作を行わなくともよいので、ステップＳ２０３に進む。
【００３９】
ステップＳ２０２においては、ファイルサーバ２０１の制御手段２０２はモデム装置２１０を制御して画像取り込みのリクエスト対象のインターネットカメラ１に電話をかけて、所定時間経過後（例えば呼び出し音が数回なった後に）電話呼び出しを停止する。ここで、画像取り込みのリクエスト対象のインターネットカメラ１のモデム装置１０が電話呼び出しを着信すると、インターネットカメラ１の制御手段は図８のフローに示される割り込みルーチンを実行する。なお、ファイルサーバ２０１の制御手段２０２はステップＳ２０３を実行し、インターネットカメラ１からのファイル転送（後述）が終了するまで（Ｓ２０３：Ｙｅｓ）、待機する（Ｓ２０３：Ｎｏ）。
【００４０】
インターネットカメラ１のモデム装置１０が電話呼び出しを着信すると、インターネットカメラ１の制御手段２はステップＳ１０１を実行する。ステップＳ１０１では着信した電話呼び出しの発信元がファイルサーバ２０１であるかどうかの確認を行う。すなわち、ＮＴＴのナンバーディスプレイのような発信元電話番号報知サービスを利用して、発信元の電話番号がファイルサーバ２０１のモデム装置２１０が接続されている回線の電話番号と一致するかどうかのチェックを行っている。
【００４１】
ここで、受信した電話呼び出しの発信元がファイルサーバ２０１でなければ（Ｓ１０１：Ｎｏ）、ステップＳ１１１に進んで電話回線を切断して本ルーチンを終了する。従って、間違い電話等による、クライアントＰＣ３０１のユーザの意図しない画像取り込みは防止される。
【００４２】
一方、着信した電話呼び出しの発信元がファイルサーバ２０１であれば（Ｓ１０１：Ｙｅｓ）、ステップＳ１０２に進み、電話呼び出しに応答せずに、ファイルサーバ２０１の制御手段２０２の制御によりモデム装置２１０が電話呼び出しを停止するまで待機する（Ｓ１０２：Ｎｏ）。したがって、回線が接続される前に（すなわち、呼び出し音が鳴り続けている間に）回線が切断されるので、ファイルサーバ２０１には回線使用料がかからない。
【００４３】
一方、ステップ１０２にて電話回線の切断が確認されたら（Ｓ１０２：Ｙｅｓ）、ステップＳ１０３に進み、インターネットカメラ１の撮像装置３より出力されたディジタル信号を画像ファイルに変換し、メモリ４に保存する。次いでステップＳ１０４に進み、インターネットカメラ１の制御手段２はモデム装置１０を制御してインターネット２００への接続を確立する。次いで、ステップＳ１０５に進み前述の画像ファイルをファイルサーバ２０１に転送する。
【００４４】
次いで、ステップＳ１０６に進み、インターネット２００への接続を切断し、本ルーチンを終了する。
【００４５】
この時点で、インターネットカメラ１はファイルサーバ２０１へのファイル転送を完了しているので、ファイルサーバ２０１の制御手段２０２は図７のフローチャートにおけるステップＳ２０４を実行する。ステップＳ２０４でファイルサーバ２０１の制御手段２０２はクライアントＰＣ３０１に対して、インターネットカメラ１が画像ファイルの転送を終了したことを示す取り込み完了メッセージを送信し、本ルーチンを終了する。
【００４６】
従って、クライアントＰＣ３０１はファイルサーバ２０１から取り込み完了メッセージを受信したので、クライアントＰＣ３０１の制御手段３０２は図６のフローチャートのステップＳ３０３を実行する。すなわち、クライアントＰＣ３０１はファイルサーバ２０１にアクセスし、ステップＳ１０５においてインターネットカメラ１がファイルサーバ２０１に転送した画像ファイルをダウンロードする。
【００４７】
次いで、ステップＳ３０４に進み、ステップＳ３０３でダウンロードした画像ファイルを、モニタ３０５の押下された第１の画像取り込みボタンに対応する画像表示領域に表示し、本ルーチンを終了する。
【００４８】
なお、第２の画像取り込みボタン４２０が押下された時は、全てのインターネットカメラ１について、図６〜８記載の割り込みルーチンが実行され、その結果画像表示領域４０１、４０２、４０３のそれぞれに表示される画像は更新される。
【図面の簡単な説明】
【図１】本発明の実施の形態のインターネットカメラシステムを模式的に示したものである。
【図２】本発明の実施の形態におけるインターネットカメラを模式的に示したブロック図である。
【図３】本発明の実施の形態におけるファイルサーバを模式的に示したブロック図である。
【図４】本発明の実施の形態におけるクライアントＰＣを模式的に示したブロック図である。
【図５】本発明の実施の形態におけるクライアントＰＣのモニタに表示された画面を示したものである。
【図６】本発明の実施の形態において、クライアントＰＣが実行する割り込みルーチンを示したフローチャートである。
【図７】本発明の実施の形態において、ファイルサーバが実行する割り込みルーチンを示したフローチャートである。
【図８】本発明の実施の形態において、インターネットカメラが実行する割り込みルーチンを示したフローチャートである。
【符号の説明】
１        インターネットカメラ
２        制御手段
３        撮像装置
４        メモリ
５        トリガスイッチボタン
１０        モデム装置
１００      公衆電話回線網
１０１      第１のゲートウェイ
２００      インターネット
２０１      インターネットカメラ
２０２      制御手段
２０３      ネットワーク・インターフェイス
２０４      メモリ
２０５      ストレージ装置
２１０      モデム装置
３００      ローカル・エリア・ネットワーク
３０１      クライアントＰＣ
３０２      制御手段
３０３      ネットワーク・インターフェイス
３０４      メモリ
３０５      モニタ
３０６      ポインティングデバイス
３２０      第２のゲートウェイ
【図１】
0003905740.tif 000002
【図２】
0003905740.tif 000003
【図３】
0003905740.tif 000004
【図４】
0003905740.tif 000005
【図５】
0003905740.tif 000006
【図６】
0003905740.tif 000007
【図７】
0003905740.tif 000008
【図８】
0003905740.tif 000009